(57)【特許請求の範囲】
【請求項１】
第１電気機器が夫々設けられている複数の部屋を有する建物における、前記複数の部屋のうちの一の部屋に割り当てられている人が前記建物の外部にいることを示す第１信号を受信する第１受信装置と、
前記建物の扉を施錠するサムターンとともに回動する第１突片と、前記第１突片が第１回動位置に回動することにより圧接されて発電し、前記扉が施錠されたことを示す信号を出力する制御回路を動作させる第１圧電素子と、を有し、前記建物の扉が施錠されたことを検出する第１検出装置と、
前記建物の扉を施錠するサムターンとともに回動する第２突片と、前記第２突片が第２回動位置に回動することにより圧接されて発電し、前記扉が開錠されたことを示す信号を出力する制御回路を動作させる第２圧電素子と、を有し、前記建物の扉が開錠されたことを検出する第２検出装置と、
前記第１信号を前記第１受信装置が受信した際に、前記扉が施錠されたことを前記第１検出装置が検出した場合、前記一の部屋に設けられている前記第１電気機器に供給される電力を遮断し、前記扉が開錠されたことを前記第２検出装置が検出した場合、前記一の部屋に設けられている前記第１電気機器に電力が供給されるように動作する第１遮断装置と、
を備えたことを特徴とする電力制御装置。
【請求項２】
前記建物は、第２電気機器が設けられていると共に前記複数の部屋夫々に割り当てられている複数の人が用いる共用部屋、を更に有し、
前記複数の人が前記建物の外部にいることを示す第２信号を受信する第２受信装置、を更に備え、
前記第１遮断装置は、
前記第２信号を前記第２受信装置が受信した際に、前記扉が施錠されたことを前記第１検出装置が検出した場合、複数の前記第１電気機器に供給される電力と前記第２電気機器に供給される電力とを遮断する第２遮断装置、を有する
ことを特徴とする請求項１に記載の電力制御装置。
【請求項３】
前記第１遮断装置は、
前記第１信号を前記第１受信装置が受信し、且つ、前記第２信号を前記第２受信装置が受信していない際に、前記扉が施錠されたことを前記第１検出装置が検出した場合、前記第２電気機器に供給される電力を遮断せずに、前記一の部屋に設けられている前記第１電気機器に供給される電力を遮断する第３遮断装置、を更に有する
ことを特徴とする請求項２に記載の電力制御装置。
【請求項４】
前記扉が開錠されたことを検出する前記第２検出装置と、
前記第１信号を前記第１受信装置が受信した際に、前記扉が開錠されたことを前記第２検出装置が検出した場合、前記一の部屋に設けられている前記第１電気機器に対して電力を供給する供給装置と、を更に備える
ことを特徴とする請求項１に記載の電力制御装置。
【請求項５】
前記扉が開錠されたことを検出する前記第２検出装置と、
前記第１信号を前記第１受信装置が受信し、且つ、前記第２信号を前記第２受信装置が受信していない際に、前記扉が開錠されたことを前記第２検出装置が検出した場合、前記一の部屋に設けられている前記第１電気機器と前記第２電気機器に対して電力を供給する供給装置と、を更に備える
ことを特徴とする請求項２に記載の電力制御装置。
【請求項６】
前記第１受信装置の受信結果及び前記第１検出装置の検出結果に関わらず、前記第１電気機器に供給される電力を前記第１遮断装置が遮断するのを禁止する禁止装置、を更に備える
ことを特徴とする請求項１に記載の電力制御装置。
【請求項７】
前記第１受信装置の受信結果及び前記第２検出装置の検出結果に関わらず、前記第１電気機器に対して前記供給装置が電力を供給するのを禁止する禁止装置、を更に備える
ことを特徴とする請求項４に記載の電力制御装置。
【請求項８】
電気機器が夫々設けられている複数の部屋を有する建物における、前記複数の部屋のうちの一の部屋に割り当てられている人が前記建物の外部にいることを示す信号を送信する送信装置と、
前記信号を受信する受信装置と、
前記建物の扉を施錠するサムターンとともに回動する第１突片と、前記第１突片が第１回動位置に回動することにより圧接されて発電し、前記扉が施錠されたことを示す信号を出力する制御回路を動作させる第１圧電素子と、を有し、前記建物の扉が施錠されたことを検出する第１検出装置と、
前記建物の扉を施錠するサムターンとともに回動する第２突片と、前記第２突片が第２回動位置に回動することにより圧接されて発電し、前記扉が開錠されたことを示す信号を出力する制御回路を動作させる第２圧電素子と、を有し、前記建物の扉が開錠されたことを検出する第２検出装置と、
前記信号を前記受信装置が受信した際に、前記扉が施錠されたことを前記第１検出装置が検出した場合、前記一の部屋に設けられている前記電気機器に供給される電力を遮断し、前記扉が開錠されたことを前記第２検出装置が検出した場合、前記一の部屋に設けられている前記電気機器に電力が供給されるように動作する遮断装置と、
を備えたことを特徴とする電力制御システム。
【請求項９】
前記送信装置は、ボタンと、前記ボタンが押下された際に前記ボタンが圧接されて前記信号を出力する圧電素子と、を有する
ことを特徴とする請求項８に記載の電力制御システム。
【発明の詳細な説明】
【技術分野】
【０００１】
本発明は、電力制御装置、電力制御方法、電力制御システムに関する。
【背景技術】
【０００２】
例えば、宅内に設けられており、電力が供給されて動作する電気機器が知られている（例えば特許文献１）。
【先行技術文献】
【特許文献】
【０００３】
【特許文献１】特開２０１１-１６０６０８号公報
【発明の概要】
【発明が解決しようとする課題】
【０００４】
例えば、特許文献１の電気機器を含め電気機器には、動作していないときにも待機電力として電力が供給されている。このために、電気機器が設けられている宅内における消費電力量を前述の待機電力として供給される電力量よりも少なくするのが困難となる虞がある。
【課題を解決するための手段】
【０００５】
前述した課題を解決する主たる本発明は、第１電気機器が夫々設けられている複数の部屋を有する建物における、前記複数の部屋のうちの一の部屋に割り当てられている人が前記建物の外部にいることを示す第１信号を受信する第１受信装置と、前記建物の扉を施錠するサムターンとともに回動する第１突片と、前記第１突片が第１回動位置に回動することにより圧接されて発電し、前記扉が施錠されたことを示す信号を出力する制御回路を動作させる第１圧電素子と、を有し、前記建物の扉が施錠されたことを検出する第１検出装置と、前記建物の扉を施錠するサムターンとともに回動する第２突片と、前記第２突片が第２回動位置に回動することにより圧接されて発電し、前記扉が開錠されたことを示す信号を出力する制御回路を動作させる第２圧電素子と、を有し、前記建物の扉が開錠されたことを検出する第２検出装置と、前記第１信号を前記第１受信装置が受信した際に、前記扉が施錠されたことを前記第１検出装置が検出した場合、前記一の部屋に設けられている前記第１電気機器に供給される電力を遮断し、前記扉が開錠されたことを前記第２検出装置が検出した場合、前記一の部屋に設けられている前記第１電気機器に電力が供給されるように動作する第１遮断装置と、を備えたことを特徴とする電力制御装置である。
【０００６】
本発明の他の特徴については、添付図面及び本明細書の記載により明らかとなる。
【発明の効果】
【０００７】
本発明によれば、電気機器に供給される電力を遮断することができる。
【図面の簡単な説明】
【０００８】
【図１】本発明の実施形態における住戸を示す図である。
【図２】本発明の実施形態における扉と制御装置とを示す分解斜視図である。
【図３】本発明の実施形態における扉と制御装置とを示す側面図である。
【図４】本発明の実施形態におけるつまみが第１回動位置に回動された状態の制御装置を示す正面図である。
【図５】本発明の実施形態におけるつまみが第２回動位置に回動された状態の制御装置を示す正面図である。
【図６】本発明の実施形態における鍵装置を示す平面図である。
【図７】本発明の実施形態における鍵装置を示す断面図である。
【図８】本発明の実施形態における各場合におけるスイッチの状態を示す図である。
【発明を実施するための形態】
【０００９】
本明細書および添付図面の記載により、少なくとも以下の事項が明らかとなる。
＝＝＝住戸＝＝＝
以下、図１を参照して、本実施形態における住戸について説明する。図１は、本実施形態における住戸を示す図である。尚、図１では、説明の便宜上、鍵装置５１１、５２１、５３１、５４１は、洋室１０１乃至１０４の内部に置かれている状態の住戸１００が示されている。
【００１０】
住戸１００（建物）は、複数居住者対応の例えばマンション、一戸建て住宅である。住戸１００には、扉２、例えば４個の洋室１０１乃至１０４（部屋）、玄関１１１、廊下１１２、洗面・浴室１１３、トイレ１１４、リビング・ダイニング１１５、キッチン１１６が設けられている。
【００１１】
扉２は、住戸１００への出入りをする際に開閉される扉である。
【００１２】
洋室１０１乃至１０４には夫々洋室１０１乃至１０４を使用する人が割り当てられている。尚、洋室１０１乃至１０４に割り当てられている人を夫々、第１乃至第４の人とも称する。尚、第１乃至第４の人は夫々、１名であってもよいし複数名であってもよい。
【００１３】
洋室１０１は、コンセント装置６１１、電気機器６１２を有する。
【００１４】
電気機器６１２は、例えば照明、テレビ、エアコン、プリンタ、パソコン等の電気機器である。電気機器６１２は、コンセント装置６１１を介して交流電源Ｇに接続されている。
【００１５】
コンセント装置６１１は、スイッチ６１３を有する。
【００１６】
スイッチ６１３は、交流電源Ｇと電気機器６１２との間でオンオフする。例えば、スイッチ６１３がオンした場合、交流電源Ｇと電気機器６１２とが電気的に接続されて、交流電源Ｇから電気機器６１２に対して電力が供給される。一方、例えば、スイッチ６１３がオフした場合、交流電源Ｇと電気機器６１２とが電気的に遮断されて、交流電源Ｇから電気機器６１２に対して電力が供給されなくなる。
【００１７】
コンセント装置６１１は、制御装置３（図４）から出力される第１及び第２制御信号を受信して、受信された制御信号に基づいて、スイッチ６１３のオンオフを制御する。例えば、第１制御信号を受信した場合、コンセント装置６１１は、スイッチ６１３をオフする。又、例えば、第２制御信号を受信した場合、コンセント装置６１１は、スイッチ６１３をオンする。
【００１８】
洋室１０２乃至１０４の構成は、洋室１０１の構成と同様である。つまり、コンセント装置６２１、６３１、６４１の構成はコンセント装置６１１の構成と同様であり、電気機器６２２、６３２、６４２の構成は電気機器６１２の構成と同様であり、スイッチ６２３、６３３、６４３の構成はスイッチ６１３の構成と同様である。尚、電気機器６１２、６２２、６３２、６４２が第１電気機器に相当する。
【００１９】
玄関１１１、廊下１１２、洗面・浴室１１３、トイレ１１４、リビング・ダイニング１１５、キッチン１１６（「共用部屋」とも称する）は、第１乃至第４の人が共に使用する部屋である。
【００２０】
共用部屋は、コンセント装置６５１、電気機器６５２（第２電気機器）を有する。電気機器６５２は、例えば照明等の電気機器である。尚、図１では説明の便宜上、コンセント装置６５１及び電気機器６５２がリビング・ダイニング１１５に設けられている例が示されているが、例えば、コンセント装置６５１及び電気機器６５２が共用部屋における各部屋に設けられていてもよいし、一部の部屋に設けられていることとしてもよい。
【００２１】
コンセント装置６５１の構成は、コンセント装置６１１の構成と同様である。よって、スイッチ６５３の構成は、スイッチ６１３の構成と同様である。
＝＝＝扉＝＝＝
以下、図２及び図３を参照して、本実施形態における扉について説明する。図２は、本実施形態における扉と制御装置とを示す分解斜視図である。尚、図２においては、本体部３３の前面に設けられている不在スイッチ３５（図４）、人感センサ３６、第１無線通信部３４、第２無線通信部３７、システムスイッチ３９（禁止装置）については、説明の便宜上、省略されている。又、図２においては、第１圧電素子４３、４４、第２圧電素子４１、４２、中空部３３Ｂ、係合孔３３１、３３２は見えない状態となっているが、説明の便宜上、破線で示されている。図３は、本実施形態における扉と制御装置とを示す側面図である。
【００２２】
扉２は、サムターン２０、デッドボルト２１１を有する。
【００２３】
サムターン２０は、扉２における住戸１００の内側に設けられる。サムターン２０は、胴２１、つまみ２２を有する。
【００２４】
尚、Ｚ軸は垂直方向に沿う軸であり、下側から上側に向かう方向を＋Ｚとし、上側から下側に向かう方向を−Ｚとする。Ｙ軸はサムターン２０におけるつまみ２２の回動軸に沿う軸であり、住戸１００の内側から外側に向かう方向を＋Ｙとし、住戸１００の外側から内側に向かう方向を−Ｙとする。Ｘ軸はＹ軸及びＺ軸に対して直交しておりデッドボルト２１１が移動する方向に沿う軸であり、デッドボルト２１１が扉２から突出する方向を＋Ｘとし、デッドボルト２１１が扉２に退避する方向を−Ｘとする。
【００２５】
胴２１は、扉２における所定位置に設けられる。
【００２６】
つまみ２２は、扉２に対して直交するＹ軸に沿っている回動軸を中心に回動可能に胴２１を介して扉２に取り付けられる。つまみ２２は、つまみ２２が垂直方向（Ｚ軸）に沿っている状態において、−Ｙから＋Ｙに向かって見て時計回り方向に略９０度回動させることができる。この後、つまみ２２が水平方向（Ｘ軸）に沿っている状態（不図示）において、−Ｙから＋Ｙに向かって見て反時計回り方向に９０度回動させることができる。尚、つまみ２２が垂直方向に沿っている状態とは、図２に示されているように、つまみ２２の長手方向がＺ軸に沿っている状態を示す。又、つまみ２２が水平方向に沿っている状態とは、つまみ２２の長手方向がＸ軸に沿っている状態を示す。
【００２７】
つまみ２２がＸ軸に沿っている状態の当該つまみ２２の位置を、つまみ２２の第１回動位置とする。又、つまみ２２がＺ軸に沿っている状態の当該つまみ２２の位置を、つまみ２２の第２回動位置とする。そして、つまみ２２は、第１回動位置に回動されたり、第２回動位置に回動されたりする。
【００２８】
尚、つまみ２２は、扉２における住戸１００の外側に設けられている鍵孔に挿入された鍵装置５１１、５２１、５３１、５４１の回動操作によっても、第１又は第２回動位置に回動される。つまり、つまみ２２は、住戸１００の内外の双方から回動される。
【００２９】
デッドボルト２１１は、つまみ２２の回動に基づいて扉２から突出又は扉２に退避する。例えば、つまみ２２が第１回動位置に回動された場合、デッドボルト２１１は扉２から突出する。一方、例えば、つまみ２２が第２回動位置に回動された場合、つまみ２２は扉２の内部に退避する。従って、扉２が閉められている状態でつまみ２２が第１回動位置に回動された場合、扉２は施錠される。この後、つまみ２２が第２回動位置に回動された場合、扉２は開錠される。
＝＝＝制御装置の構造＝＝＝
以下、図２及び図３を参照して、本実施形態における制御装置の構造について説明する。
【００３０】
制御装置３は、扉２における住戸１００の内側に対して着脱自在に取り付けられる。制御装置３は、取付板３１、カバー３２、本体部３３を有する。
＝取付板＝
取付板３１は、扉２における住戸１００の内側の面に取り付けられる板部材である。取付板３１は、例えば、略矩形形状を呈しており、絶縁性の樹脂等を用いて形成されている。取付板３１には、挿通孔３１Ａ、係合片３１１、３１２が設けられている。
【００３１】
挿通孔３１Ａは、サムターン２０が挿通される。挿通孔３１Ａの径は、胴２１が挿通されるように、胴２１の径よりも大きく設定されている。
【００３２】
係合片３１１、３１２は夫々、本体部３３の係合孔３３１、３３２に挿入された状態で本体部３３と係合するように、Ｘ軸方向にける両端から−Ｙに向かって突出している。
＝本体部＝
本体部３３は、制御装置３の本体であり、取付板３１を用いて扉２に取り付けられる。本体部３３は、例えば、略矩形柱形状を呈しており、絶縁性の樹脂等を用いて形成されている。本体部３３には、露出孔３３Ａ、係合孔３３１、３３２、第１圧電素子４３、４４、第２圧電素子４１、４２、中空部３３Ｂが設けられている。
【００３３】
係合孔３３１、３３２は、係合片３１１、３１２が着脱可能に係合される孔であり、係合片３１１、３１２と対向する位置に設けられる。つまり、本体部３３は、取付板３１に対して着脱可能となっている。
【００３４】
露出孔３３Ａは、カバー３２を露出させるための例えば円形の孔である。露出孔３３Ａは、サムターン２０と対向する位置に設けられる。本体部３３における露出孔３３Ａの内部には、山部３３３が形成されている。山部３３３は、本体部３３に対してカバー３２を取り付ける際に用いられる突部であり、露出孔３３Ａの全周に亘って設けられている。山部３３３は、カバー３２における溝３２３に挿入される形状を呈している。そして、露出孔３３Ａは、カバー３２を本体部３３に対して回動可能に取り付けるための取付孔としての機能も発揮する。露出孔３３Ａの径は、露出孔３３Ａの内部にカバー３２が設けられるように、カバー３２の径よりも大きく設定されている。そして、本体部３３に対してカバー３２が取り付けられた場合、露出孔３３Ａから露出しているカバー３２の回動操作が可能となる。
【００３５】
中空部３３Ｂは、本体部３３に対して取り付けられたカバー３２を回動可能に収容するための空洞である。中空部３３Ｂは、＋Ｙ側において開いており、−Ｙ側において露出孔３３Ａと通じている。
【００３６】
第１圧電素子４３、４４、第２圧電素子４１、４２は、カバー３２の突片３２１、３２２が圧接されたときに発電する素子である。第１圧電素子４３、４４、第２圧電素子４１、４２は、本体部３３の中空部３３Ｂに設けられる。尚、第１圧電素子４３、４４、突片３２１、３２２が第１検出装置に相当する。第２圧電素子４１、４２、突片３２１、３２２が第２検出装置に相当する。
【００３７】
第１圧電素子４３、４４は夫々、制御装置３が扉２に取り付けられている際に、つまみ２２が第１回動位置に回動されたとき、突片３２１、３２２が圧接される位置に設けられる。第１圧電素子４３、４４は、例えば、垂直方向における露出孔３３Ａの両側に設けられる。
【００３８】
第２圧電素子４１、４２は夫々、制御装置３が扉２に取り付けられている際に、つまみ２２が第２回動位置に回動されたとき、突片３２１、３２２が圧接される位置に設けられる。第２圧電素子４１、４２は、例えば、水平方向における露出孔３３Ａの両側に設けられる。
＝カバー＝
カバー３２は、サムターン２０に取り付けられ、つまみ２２とともに回動する。カバー３２は、例えば、絶縁性の樹脂等を用いて形成されている。カバー３２は、本体３２４、突片３２１、３２２、つまみ３２５を有する。尚、本体３２４、突片３２１、３２２、つまみ３２５は、一体的に形成されていることとしてもよい。
【００３９】
本体３２４は、内部にサムターン２０が挿入されるように、例えば筒形状を呈している。本体３２４の＋Ｙ側には、サムターン２０が本体３２４の内部に挿入するための開口（不図示）が設けられている。本体３２４の−Ｙ側には、つまみ３２５が設けられている。本体３２４の外周面には、本体部３３の山部３３３が挿入される溝３２３が設けられている。溝３２３は、カバー３２を本体部３３に取り付ける際に用いられる溝であり、カバー３２の全周に亘って設けられている。
【００４０】
つまみ３２５は、つまみ２２が嵌められてつまみ２２に対して固定される。つまみ３２５は、中空形状を呈している。つまみ３２５の内部は、本体３２４の内部と通じている。よって、カバー３２に対してサムターン２０が挿入された場合、つまみ２２が、カバー３２の内部においてつまみ３２５に嵌ることになる。そして、つまみ３２５がつまみ２２に対して固定される。
【００４１】
突片３２１、３２２は、例えば略矩形柱形状を呈しており、第１圧電素子４３、４４、第２圧電素子４１、４２に圧接される片である。突片３２１、３２２は、本体３２４の外周面から突出している。突片３２１、３２２は、本体３２４からＸＺ平面において遠ざかる方向に向かって突出している。突片３２１、３２２は、突片３２１、３２２の長手方向とつまみ３２５の長手方向とが略直交するように、本体３２４における両側に設けられている。
＝制御装置の扉への取り付け＝
挿通孔３１Ａに対してサムターン２０が挿通された状態で、取付板３１が扉２に対して固定される。取付板３１は、例えば、螺子を用いて固定されることとしてもよいし、両面テープ、接着剤、面ファスナ等を用いて固定されることとしてもよい。
【００４２】
カバー３２が本体部３３における露出孔３３Ａに取り付けられる。このとき、山部３３３の先端が溝３２３に挿入されて、山部３３３が溝３２３に引っ掛るために、カバー３２が本体部３３から例えば自重によって外れるのが防止される。更に、このとき、カバー３２は、カバー３２の中央を通り且つＹ軸に沿っている回動軸３２Ｂ（図４）を中心に回動可能となる。
【００４３】
カバー３２が取り付けられた状態の本体部３３が、取付板３１に取り付けられる。係合片３１１、３１２が係合孔３３１、３３２に挿入された状態で、係合片３１１、３１２が本体部３３と係合することにより、本体部３３が取付板３１に固定される。これらにより、制御装置３が扉２に取り付けられる。
＝＝＝制御装置の機能＝＝＝
以下、図２、図４、図５を参照して、本実施形態における制御装置の機能について説明する。図４は、本実施形態におけるつまみが第１回動位置に回動された状態の制御装置を示す正面図である。図５は、本実施形態におけるつまみが第２回動位置に回動された状態の制御装置を示す正面図である。
【００４４】
尚、図４及び図５における第２圧電素子４１、４２、第１圧電素子４３、４４、突片３２１、３２２は、見えない状態となっているが、説明の便宜上、破線で示されている。
【００４５】
制御装置３は、第１無線通信部３４、不在スイッチ３５、人感センサ３６、第２無線通信部３７、制御回路３８、システムスイッチ３９を有する。
【００４６】
第１無線通信部３４には、コンセント装置６１１、６２１、６３１、６４１、６５１（「各コンセント装置」とも称する）に対して第１及び第２制御信号を送信するための通信用アンテナが設けられている。尚、各コンセント装置が、第１乃至第３遮断装置、供給装置に相当する。又、制御装置３及び各コンセント装置が電力制御装置に相当する。
【００４７】
第２無線通信部３７（第１受信装置、第２受信装置）には、鍵装置５１１、５２１、５３１、５４１（「各鍵装置」とも称する）夫々から出力される第１乃至第４識別信号を受信するための通信用アンテナが設けられている。尚、各鍵装置（送信装置）については後述する。
【００４８】
人感センサ３６は、住戸１００内に人がいることを検知する例えば赤外線センサである。人感センサ３６は、第１圧電素子４３、４４、第２圧電素子４１、４２（「各圧電素子」とも称する）の少なくとも一の圧電素子で発電された電力が供給されて動作する。このために、制御装置３を含む住戸１００での消費電力量を低減することができる。
【００４９】
不在スイッチ３５は、住戸１００内の電気機器６１２、６２２、６３２、６４２、６５２（「各電気機器」とも称する）に対して供給される電力を全て遮断するためのスイッチである。不在スイッチ３５が押下された場合、制御装置３は、各コンセント装置に対して第１制御信号を送信する。尚、不在スイッチ３５が押下された際に不在スイッチ３５が圧接する圧電素子（不図示）が、制御装置３に設けられている。この圧電素子が発電した電力に基づいて、制御装置３は、各コンセント装置に対して第１制御信号を送信する。
【００５０】
システムスイッチ３９は、制御装置３の状態を切り替えるための例えばタンブリング操作スイッチである。例えば、システムスイッチ３９のレバーが停止側に移動された場合、制御装置３は、各コンセント装置に対して第２制御信号を送信した後、後述する制御回路３８による制御に基づいて第１及び第２制御信号を送信できない状態となる。一方、例えば、システムスイッチ３９のレバーが起動側に移動された場合、制御装置３は、後述する制御回路３８による制御に基づいて第１及び第２制御信号を送信できる状態となる。
【００５１】
制御回路３８は、第２無線通信部３７の受信結果、人感センサ３６の検知結果、各圧電素子のうちの何れの圧電素子で発電されたかに基づいて、第１及び第２制御信号が送信されるように制御装置３を制御する。制御回路３８は、各圧電素子の少なくとも一の圧電素子で発電された電力が供給されて動作する。このために、制御装置３を含む住戸１００での消費電力量を低減することができる。
【００５２】
例えば、人がいることを人感センサ３６が検知している場合、制御回路３８は、第１及び第２制御信号を送信しないように制御する。尚、不在スイッチ３５が押下されているときは、この制御は行われない。この構成により、例えば、住戸１００の内側からつまみ３２５を回動させた際に第１及び第２制御信号が送信されるのを防止することができる。一方、例えば、人がいることを人感センサ３６が検知していない場合、制御回路３８は、第１又は第２制御信号を送信するように制御する。
【００５３】
具体的には、例えば、第２圧電素子４１、４２の少なくとも一方で発電された場合（扉２が開錠されたことを検出した場合）、制御回路３８は、第２無線通信部３７の受信結果に基づいてコンセント装置に対して第２制御信号を送信するように制御する。詳しくは、例えば、制御回路３８は、コンセント装置６５１と、第２無線通信部３７の受信結果に対応するコンセント装置とに対して、第２制御信号を送信するように制御する。尚、第２無線通信部３７の受信結果が夫々第１乃至第４識別信号である場合、対応するコンセント装置は夫々コンセント装置６１１、６２１、６３１、６４１となる。
【００５４】
又、例えば、第１圧電素子４３、４４の少なくとも一方で発電された場合（扉２が施錠されたことを検出した場合）、制御回路３８は、第２無線通信部３７の受信結果に基づいてコンセント装置に対して第１制御信号を送信するように制御する。詳しくは、例えば、第２無線通信部３７が第１乃至第４識別信号を全て受信している場合、制御回路３８は、各コンセント装置に対して、第１制御信号を送信するように制御する。
【００５５】
一方、例えば、第２無線通信部３７が第１乃至第４識別信号を全て受信しているわけではない場合、制御回路３８は、第１乃至第４の人が全て住戸１００の外部にいるか、第１乃至第４の人の少なくとも一の人が住戸１００の内部にいるかの判断（「住戸１００の人に関する判断」とも称する）を行った後、判断結果に基づいて第１制御信号を送信するように制御する。
【００５６】
より詳しくは、例えば、第１圧電素子４３、４４の少なくとも一方で発電されたときに、第１乃至第４の人が全て住戸１００の外部にいるものと判断された場合、制御回路３８は、コンセント装置６５１と、第２無線通信部３７の受信結果に対応するコンセント装置とに対して、第１制御信号を送信するように制御する。一方、例えば、第１圧電素子４３、４４の少なくとも一方で発電されたときに、第１乃至第４の人の少なくとも一の人が住戸１００の内部にいるものと判断された場合、制御回路３８は、第２無線通信部３７の受信結果に対応するコンセント装置に対して、第１制御信号を送信するように制御する。
【００５７】
尚、住戸１００の人に関する判断については、例えば、人感センサ３６の検知結果に基づいて行われることとしてもよいし、第２無線通信部３７が第１乃至第４識別信号を示す情報の履歴がメモリに記憶されており当該情報に基づいて行われることとしてもよいし、各スイッチの状態に基づいて行われることとしてもよい。
＝＝＝鍵装置＝＝＝
以下、図６及び図７を参照して、本実施形態における鍵装置について説明する。図６は、本実施形態における鍵装置を示す平面図である。図７は、本実施形態における鍵装置を示す断面図である。図７は、図６のＸ１−Ｚ１平面に平行なＢ１−Ｂ２断面において＋Ｙ１から−Ｙ１に向かって見た状態の鍵装置５を示している。
【００５８】
各鍵装置は、扉２における住戸１００の外側に設けられている鍵孔に挿入されて、扉２を施錠したり開錠したりするのに用いられる。鍵装置５１１、５２１、５３１、５４１は夫々、第１乃至第４の人夫々に対して割り当てられている。尚、各鍵装置、制御装置３及び各コンセント装置が電力制御システムに相当する。
【００５９】
鍵装置５１１は、鍵孔に挿入されるブレード部５２、つまみとしての機能を発揮する頭部５１を有する。頭部５１には、送信ボタン５９１が設けられている。頭部５１の内部には、付勢装置５１３（図７）、突片５１４、固定片５１２、圧電素子５３、導電線５５、送信装置５４が設けられている。
【００６０】
送信ボタン５９１は、第１識別信号を送信する際に押下される。送信ボタン５９１は、頭部５１の内部の所定位置に固定されている固定片５１２の上部（＋Ｚ１）において、−Ｚ１側から＋Ｚ１側に向かって例えばバネ等の付勢装置５１３によって付勢されている。
【００６１】
送信装置５４は、圧電素子５３で発電された電力によって動作する無線送信装置である。送信装置５４は、圧電素子５３で発電された電力が導電線５５を介して供給された場合、第１識別信号を送信する。
【００６２】
例えば、送信ボタン５９１に対して＋Ｚ１から−Ｚ１に向かう力が付与された場合（送信ボタン５９１が押下された場合）、突片５１４は、送信ボタン５９１と共に＋Ｚ１から−Ｚ１に向か移動して、圧電素子５３に圧接する。この際、圧電素子５３で発電された電力が送信装置５４に供給される。そして、送信装置５４は、第１識別信号を送信する。
【００６３】
尚、鍵装置５２１、５３１、５４１の構成は、鍵装置５１１の構成と同様である。鍵装置５２１、５３１、５４１夫々の送信ボタンが押下された場合、鍵装置５２１、５３１、５４１は夫々、第２識別信号、第３識別信号、第４識別信号を送信する。尚、各鍵装置の送信ボタンは第１乃至第４の人が住戸１００の外部にいる際に押下されるので、第１乃至第４識別信号は、第１乃至第４の人が住戸１００の外部にいることを示すことになる。
＝＝＝制御装置の動作＝＝＝
以下、図１及び図８を参照して、本実施形態における制御装置の動作について説明する。図８は、本実施形態における各場合におけるスイッチの状態を示す図である。
＝第１乃至第５の場合＝
住戸１００内にいる第１乃至第４の人のうちの、第１の人が外出する場合（第１の場合）、第１の人は、住戸１００の外部において鍵装置５１１を用いて扉２の施錠を行う。この際、第１の人は、鍵装置５１１の送信ボタン５９１を押下した状態で、施錠を行う。よって、鍵装置５１１から第１識別信号が送信されると共に、第１圧電素子４３、４４で発電が行われる。そして、制御装置３は、スイッチ６１３をオンからオフに切り替える。尚、この際、スイッチ６１３、６２３、６３３、６４３、６５３（「各スイッチ」とも称する）のうちのスイッチ６１３以外はオンのままとされた状態となる。この場合、電気機器６１２に供給されている電力が遮断される。
【００６４】
この後、第２及び第３の人が更に外出する場合（第２の場合）、第２及び第３の人のうちの一の人は、住戸１００の外部において割り当てられている鍵装置を用いて扉２の施錠を行う。この際、第２及び第３の人が夫々鍵装置５２１、５３１夫々の送信ボタンを押下した状態で、前述の一の人が施錠を行う。よって、鍵装置５２１、５３１から第２及び第３識別信号が送信されると共に、第１圧電素子４３、４４で発電が行われる。そして、制御装置３は、スイッチ６２３、６３３の双方をオンからオフに切り替える。この場合、電気機器６２２、６３２に供給されている電力夫々が更に遮断される。
【００６５】
この後、第４の人が更に外出する場合（第３の場合）、第４の人は、住戸１００の外部において鍵装置５４１を用いて扉２の施錠を行う。この際、第４の人は、鍵装置５４１の送信ボタンを押下した状態で、施錠を行う。よって、鍵装置５４１から第４識別信号が送信されると共に、第１圧電素子４３、４４で発電が行われる。このとき、第１乃至第４の人が全て住戸１００の外部にいると制御回路３８によって判断される。よって、制御装置３は、スイッチ６４３、６５３の双方をオンからオフに切り替える。この場合、電気機器６４２、６５２に供給されている電力夫々が更に遮断される。
【００６６】
この後、第４の人が帰宅する場合（第４の場合）、第４の人は、住戸１００の外部において鍵装置５４１を用いて扉２の開錠を行う。この際、第４の人は、鍵装置５４１の送信ボタンを押下した状態で、開錠を行う。よって、鍵装置５４１から第４識別信号が送信されると共に、第２圧電素子４１、４２で発電が行われる。そして、制御装置３は、スイッチ６４３、６５３の双方をオフからオンに切り替える。この場合、電気機器６４２、６５２に対して電力が供給されることになる。
【００６７】
この後、第１乃至第３の人が更に帰宅する場合（第５の場合）、第１乃至第３の人うちの一の人は、住戸１００の外部において割り当てられている鍵装置を用いて扉２の開錠を行う。この際、第１乃至第３の人が夫々鍵装置５１１、５２１、５３１夫々の送信ボタンを押下した状態で、前述の一の人が開錠を行う。よって、鍵装置５１１、５２１、５３１から第１乃至第３識別信号が送信されると共に、第２圧電素子４１、４２で発電が行われる。そして、制御装置３は、スイッチ６１３、６２３、６３３をオフからオンに切り替える。この場合、更に、電気機器６１２、６２２、６３２に対して電力が供給されることになる。
＝全員が外出＝
住戸１００内にいる第１乃至第４の人が外出する場合、第１乃至第４の人のうちの一の人は、住戸１００の外部において割り当てられている鍵装置を用いて扉２の施錠を行う。この際、第１乃至第４の人が夫々割り当てられている鍵装置夫々の送信ボタンを押下した状態で、前述の一の人が施錠を行う。よって、各鍵装置から第１乃至第４識別信号が送信されると共に、第１圧電素子４３、４４で発電が行われる。よって、制御装置３は、各スイッチをオンからオフに切り替える。そして、各電気機器に供給されている電力夫々が更に遮断される。
【００６８】
尚、例えば、住戸１００内にいる第１乃至第４の人が外出する場合、第１乃至第４の人のうちの一の人は、不在ボタン３５を押下した上で、施錠を行うこととしてもよい。
【００６９】
又、例えば、第１乃至第４の人のうちの一の人は、鍵装置５１１の構成と同様な構成のマスターキーを用いて施錠を行うこととしてもよい。尚、マスターキーの送信ボタンが押下された場合、マスターキーは、第１乃至第４識別信号を送信することとする。具体的には、一の人は、マスターキーの送信ボタンを押下した状態で、施錠を行う。
＝全員が帰宅＝
住戸１００内にいる第１乃至第４の人が帰宅する場合、第１乃至第４の人のうちの一の人は、住戸１００の外部において割り当てられている鍵装置を用いて扉２の開錠を行う。この際、第１乃至第４の人が夫々割り当てられている鍵装置夫々の送信ボタンを押下した状態で、前述の一の人が開錠を行う。よって、各鍵装置から第１乃至第４識別信号が送信されると共に、第２圧電素子４１、４２で発電が行われる。そして、制御装置３は、各スイッチをオフからオンに切り替える。この場合、各電気機器に対して電力が供給されることになる。
【００７０】
尚、例えば、第１乃至第４の人のうちの一の人は、マスターキーを用いて、マスターキーの送信ボタンを押下した状態で、開錠を行うこととしてもよい。
【００７１】
前述したように、例えば、第１乃至第４の人のうちの例えば第１の人が住戸１００の外部にいることを示す第１識別信号を受信した際に、第１圧電素子４３、４４の少なくとも一方で発電された場合、制御装置３は、扉２が施錠されたことを検出し、コンセント装置６１１に対して第１制御信号を送信する。コンセント装置６１１は、スイッチ６１３をオンからオフに切り替える。この場合、電気機器６１２に供給される電力が遮断される。よって、例えば、第１の人が外出する際に、第１の人が割り当てられている洋室１０１に設けられている電気機器６１２に供給される電力を遮断して、住戸１００での消費電力量を低減することができる。
【００７２】
又、住戸１００には、共有部屋が設けられている。例えば、第１乃至第４識別信号（第２信号）を受信した際、第１圧電素子４３、４４の少なくとも一方で発電された場合、制御装置３は、各コンセント装置に対して第１制御信号を送信する。この場合、各電気機器に供給される電力が遮断される。よって、例えば、電気機器６１２、６２２、６３２、６４２に供給される電力と共に、共有部屋に設けられている電気機器６５２に供給される電力を遮断することにより、住戸１００での消費電力量を低減することができる。
【００７３】
又、例えば、第１識別信号のみを受信した際に、第１圧電素子４３、４４の少なくとも一方で発電された場合、制御装置３は、コンセント装置６５１には第１制御信号を送信せずに、コンセント装置６１１のみに第１制御信号を送信する。よって、例えば、住戸１００内にいる第２乃至第４の人が電気機器６５２を使用できなくなるのを防止することができる。つまり、住戸１００内の人の利便性を維持しつつ、住戸１００での消費電力量を低減することができる。
【００７４】
又、例えば、第１識別信号を受信した際に、第２圧電素子４１、４２の少なくとも一方で発電された場合、制御装置３は、扉２が開錠されたことを検出し、コンセント装置６１１に対して第２制御信号を送信する。コンセント装置６１１は、スイッチ６１３をオフからオンに切り替える。この場合、電気機器６１２に対して電力が供給される。よって、第１の人が帰宅した際に、電気機器６１２を動作可能な状態とすることにより、第１の人の利便性を向上させることできる。
【００７５】
又、例えば、第１乃至第４の人が全て外出しているときに、第１識別信号のみを受信した際に、第２圧電素子４１、４２の少なくとも一方で発電された場合、制御装置３は、コンセント装置６１１、６５１の双方に対して第２制御信号を送信する。この場合、電気機器６１２と共に電気機器６５２に対して電力が供給される。よって、第１の人が帰宅した際に、電気機器６１２と共に電気機器６５２を動作可能な状態とすることにより、第１の人の利便性を更に向上させることできる。
【００７６】
又、例えば、システムスイッチ３９のレバーが停止側に移動された場合、制御装置３は、制御回路３８による制御に基づいて第１及び第２制御信号を送信できない状態となる。つまり、この場合、制御装置３における各スイッチをオンオフする機能が停止される。よって、各電気機器へ供給される電力を制御する機能を停止することが可能な、使い勝手よい制御装置３を提供することができる。
【００７７】
又、各鍵装置が第１乃至第４識別信号を送信する。つまり、各鍵装置において、第１乃至第４識別信号を送信する送信装置としての機能と、扉２を施錠したり開錠したりする機能とが実現されている。つまり、例えば、第１乃至第４識別信号を送信する送信装置を、各鍵装置とは別体として設ける必要がないために、第１乃至第４の人の利便性を向上させることができる。
【００７８】
又、鍵装置５１１は、送信ボタン５１１、圧電素子５３を有する。圧電素子５３は、送信ボタン５１１が押下された際に送信ボタン５１１の突片５１４が圧接されて発電する。圧電素子５３で発電された電力が供給されて、送信装置５４は、第１識別信号を送信する。よって、例えば、第１識別信号を出力するための電力を送信装置５４に供給するための例えば蓄電池を鍵装置５１１に設ける必要がない。このために、住戸１００内において当該蓄電池を充電する必要がないために、住戸１００での消費電力量を低減することができる。
【００７９】
尚、上記実施形態は、本発明の理解を容易にするためのものであり、本発明を限定して解釈するためのものではない。本発明は、その趣旨を逸脱することなく、変更、改良され得るとともに、本発明にはその等価物も含まれる。
【００８０】
上記実施形態では、住戸１００に例えば洋室１０１乃至１０４が設けられている場合について説明したが、これに限定されるものではない。例えば、４個以外の複数個の部屋が住戸１００に設けられていることとしてもよい。
【符号の説明】
【００８１】
２                                      扉
３                                      制御装置
５１１、５２１、５３１、５４１          鍵装置
６１１、６２１、６３１、６４１、６５１  コンセント装置
６１２、６２２、６３２、６４２、６５２  電気機器
６１３、６２３、６３３、６４３、６５３  スイッチ
【要約】
第１電気機器が夫々設けられている複数の部屋を有する建物における、前記複数の部屋のうちの一の部屋に割り当てられている人が前記建物の外部にいることを示す第１信号を受信する第１受信装置と、前記建物の扉が施錠されたことを検出する第１検出装置と、前記第１信号を前記第１受信装置が受信した際に、前記扉が施錠されたことを前記第１検出装置が検出した場合、前記一の部屋に設けられている前記第１電気機器に供給される電力を遮断する第１遮断装置と、を備える。【図１】
0005684435.tif 000002
【図２】
0005684435.tif 000003
【図３】
0005684435.tif 000004
【図４】
0005684435.tif 000005
【図５】
0005684435.tif 000006
【図６】
0005684435.tif 000007
【図７】
0005684435.tif 000008
【図８】
0005684435.tif 000009